(57)【要約】      （修正有）【課題】携帯機器を構成する第１筐体と第２筐体との間隔を狭くすることができると共に第１筐体に対して第２筐体を耐久性よくスライドさせることができるスライド機構用付勢部材を提供する。【解決手段】携帯機器１０を構成すると共に互いにスライド可能に連結された第１筐体１１及び第２筐体１２のいずれか一方の筐体に一端部が連結されると共に、他端部が第１筐体１１及び第２筐体１２のいずれか他方の筐体に連結されて第１筐体１１に対して第２筐体１２を所定の開閉位置から閉成方向又は開成方向にスライド付勢する付勢部材４は、扁平状スプリングであって、１本の線材４０を１巻又は渦巻き状にした巻付勢部４１と前記線材４０を同一平面上に不規則的に折り曲げたスネーク付勢部４２とを有することにより、第１筐体１１又は第２筐体１２の幅方向の付勢力を強くし、第１筐体１１と第２筐体１２との間隔を狭くすることができ、かつ耐久性も向上できる。【選択図】図１
2008275136.tif 000002
【特許請求の範囲】
【請求項１】
携帯機器を構成すると共に互いにスライド可能に連結された第１筐体及び第２筐体のいずれか一方の筐体に一端部が連結されると共に、他端部が前記第１筐体及び前記第２筐体のいずれか他方の筐体に連結されて前記第１筐体に対して前記第２筐体を所定の開閉位置から閉成方向又は開成方向にスライド付勢する付勢部材であって、
この付勢部材が、１本の線材を１巻又は渦巻き状にした巻付勢部と前記線材を同一平面上に不規則的に折り曲げたスネーク付勢部とを有し、前記第１筐体又は前記第２筐体の幅方向の付勢力を強くした扁平状スプリングであることを特徴とする、スライド機構用付勢部材。
【請求項２】
前記スネーク付勢部は、径の異なる湾曲部を２個以上有していることを特徴とする、請求項１に記載のスライド機構用付勢部材。
【請求項３】
前記扁平状スプリングは、前記巻付勢部が１個形成され、この巻付勢部の少なくとも一方の端部に前記スネーク付勢部が形成されてなることを特徴とする、請求項１又は２に記載のスライド機構用付勢部材。
【請求項４】
前記扁平状スプリングは、前記巻付勢部が２個形成され、これら巻付勢部の間及びこれら巻付勢部の両端部の少なくとも一方に前記スネーク付勢部が形成されてなることを特徴とする、請求項１又は２に記載のスライド機構用付勢部材。
【請求項５】
前記巻付勢部が、２個以上形成され、これら巻付勢部は、前記巻付勢部及び前記スネーク付勢部の一方の付勢部からなるか、これら付勢部の両方を含んでなることを特徴とする、請求項１、２又は４に記載のスライド機構用付勢部材。
【請求項６】
前記扁平状スプリングが、略中央部を中心に対称に形成されていることを特徴とする、請求項１〜５のいずれか１項に記載のスライド機構用付勢部材。
【請求項７】
前記請求項１〜６のいずれか１項に記載のスライド機構用付勢部材を備えたことを特徴とする、携帯機器のスライド機構。
【請求項８】
前記請求項１〜６のいずれか１項に記載のスライド機構用付勢部材を備えたことを特徴とする、携帯機器。
【発明の詳細な説明】
【技術分野】
【０００１】
本発明は、携帯機器を構成する第１筐体と第２筐体とを互いに重ね合わせた状態で相対的に直線方向に開閉可能にスライドさせる際に用いられて好適なスライド機構用付勢部材、そのスライド機構用付勢部材を備えた携帯機器のスライド機構及び携帯機器に関するものである。
【背景技術】
【０００２】
携帯機器である携帯電話機等において、キーボード等を上面に設けた第１筐体と、ディスプレイ等を上面に設けた第２筐体とを有し、これらの第１筐体と第２筐体とが重なり合って第２筐体で第１筐体の上面を覆う閉成状態と、第２筐体を第１筐体に対して長手方向へスライドさせて第１筐体の上面を露出させる開成状態とを作り出す、スライド機構付きのものが市場に出回っている。このような携帯機器としては、下記する特許文献１に記載されたものが公知である。
【０００３】
また、このスライド機構は、半自動でスライド操作を行えるセミオート機能を有している。すなわち、セミオート機構は、互いにその長手方向にスライド可能に連結された第１筐体に対して第２筐体を所定の位置から閉成方向又は開成方向へ付勢させる付勢部材を設けることにより、第２筐体が第１筐体に対する所定の位置から閉成方向又は開成方向へ付勢されるので、第１筐体と第２筐体とが所定の位置から自動的に開閉できるものである。
【特許文献１】特開２００５−２９５０２４号公報
【発明の開示】
【発明が解決しようとする課題】
【０００４】
この特許文献１に記載されたスライド機構に設けられている付勢部材としては、途中に線材を２重に巻回したコイル部を有する略へ字状に形成されたものが用いられている。この付勢部材は、応力の問題からコイル部が必要であった。ところで、近年、携帯機器、例えば、携帯電話機等は、多機能化と共に薄型化が図られており、できるだけ薄型化を図りたいが、付勢部材にはコイル部が必要であり、最低でもコイル部の厚さ、すなわち、最低でも線径の３倍の厚みが必要であるので、付勢部材の厚さをこれ以上薄くすることができず、第１筐体と第２筐体との間隔をこれ以上狭くすることができなかった。また、薄型化を図るために、１本の線材を第１筐体又は第２筐体の幅方向に折り曲げて付勢部材を形成することが提案されるが、第１筐体に対して第２筐体をスライドさせる際に作用する応力によってこの付勢部材が折れたりして第１筐体に対して第２筐体をセミオートでスライドさせることができなくなることがある。
【０００５】
本発明は、前記課題を解決するためになされたものであって、その目的は、携帯機器を構成する第１筐体と第２筐体との間隔を狭くすることができると共に第１筐体に対して第２筐体を耐久性よくスライドさせることができるスライド機構用付勢部材、この付勢部材を備えた携帯機器のスライド機構及び携帯機器を提供することにある。
【課題を解決するための手段】
【０００６】
前記の目的を達成するための本発明に係るスライド機構用付勢部材は、携帯機器を構成すると共に互いにスライド可能に連結された第１筐体及び第２筐体のいずれか一方の筐体に一端部が連結されると共に、他端部が前記第１筐体及び前記第２筐体のいずれか他方の筐体に連結されて前記第１筐体に対して前記第２筐体を所定の開閉位置から閉成方向又は開成方向にスライド付勢する付勢部材であって、この付勢部材が、１本の線材を１巻又は渦巻き状にした巻付勢部と前記線材を同一平面上に不規則的に折り曲げたスネーク付勢部とを有し、前記第１筐体又は前記第２筐体の幅方向の付勢力を強くした扁平状スプリングであることを特徴とする。
【０００７】
この発明によれば、付勢部材が、１本の線材を１巻又は渦巻き状にした巻付勢部と前記線材を同一平面上に不規則的に折り曲げたスネーク付勢部とを有し、第１筐体又は第２筐体の幅方向の付勢力を強くした扁平状スプリングであるために、扁平状スプリングの厚さは、巻付勢部の厚さに起因するために、この厚さは線材の線径の２倍程度の寸法となり、最低でも線材の線径の３倍の厚みのスプリングより薄くすることができる。また、扁平状スプリングは、スネーク付勢部だけではなく巻付勢部を有するために、第１筐体に対して第２筐体をスライドさせる際に作用する応力を巻付勢部及びスネーク付勢部の両付勢部で分散吸収するので、付勢部材である扁平状スプリングが折れたりすることがない。従って、携帯機器を構成する第１筐体と第２筐体との間隔を狭くすることができると共に第１筐体に対して第２筐体を耐久性よくスライドさせることができる。
【０００８】
本発明に係るスライド機構用付勢部材において、スネーク付勢部は、径の異なる湾曲部を２個以上有していることが好ましい。また、本発明に係るスライド機構用付勢部材において、前記扁平状スプリングは、前記巻付勢部が１個形成され、この巻付勢部の少なくとも一方の端部に前記スネーク付勢部が形成されてなることが好ましい。また、本発明に係るスライド機構用付勢部材において、前記扁平状スプリングは、前記巻付勢部が２個形成され、これら巻付勢部の間及びこれら巻付勢部の両端部の少なくとも一方に前記スネーク付勢部が形成されてなることが好ましい。また、本発明に係るスライド機構用付勢部材において、前記巻付勢部が、２個以上形成され、これら巻付勢部は、前記巻付勢部及び前記スネーク付勢部の一方の付勢部からなるか、これら付勢部の両方を含んでなることが好ましい。また、本発明に係るスライド機構用付勢部材において、前記扁平状スプリングが、略中央部を中心に対称に形成されていることが好ましい。
【０００９】
また、本発明に係る携帯機器のスライド機構は、前記の本発明に係るスライド機構用付勢部材を備えたことを特徴とする。この発明によれば、前述と同様に、付勢部材が、１本の線材を１巻又は渦巻き状にした巻付勢部と前記線材を同一平面上に不規則的に折り曲げたスネーク付勢部とを有し、前記第１筐体又は前記第２筐体の幅方向の付勢力を強くした扁平状スプリングであるので、携帯機器を構成する第１筐体と第２筐体との間隔を狭くすることができると共に第１筐体に対して第２筐体を耐久性よくスライドさせることができる。
【００１０】
また、本発明に係る携帯機器は、前記の本発明に係るスライド機構用付勢部材を備えたことを特徴とする。この発明によれば、前述と同様に、付勢部材が、１本の線材を１巻又は渦巻き状にした巻付勢部と前記線材を同一平面上に不規則的に折り曲げたスネーク付勢部とを有し、前記第１筐体又は前記第２筐体の幅方向の付勢力を強くした扁平状スプリングであるので、携帯機器を構成する第１筐体と第２筐体との間隔を狭くすることができると共に第１筐体に対して第２筐体を耐久性よくスライドさせることができる。
【発明の効果】
【００１１】
以上説明したように本発明に係るスライド機構用付勢部材、携帯機器のスライド機構及び携帯機器によれば、付勢部材が、１本の線材を１巻又は渦巻き状にした巻付勢部と前記線材を同一平面上に不規則的に折り曲げたスネーク付勢部とを有し、前記第１筐体又は前記第２筐体の幅方向の付勢力を強くした扁平状スプリングであるので、携帯機器を構成する第１筐体と第２筐体との間隔を狭くすることができると共に第１筐体に対して第２筐体を耐久性よくスライドさせることができる。
【発明を実施するための最良の形態】
【００１２】
以下、本発明に係るスライド機構用付勢部材、携帯機器のスライド機構及び携帯機器の一例を添付図面に基づいて詳述する。
【００１３】
図１は本発明に係る携帯機器の一例を示す図である。図２は本発明に係る携帯機器のスライド機構の一例を示す図である。図３は本発明に係る携帯機器のスライド機構（本発明に係る扁平状スプリング４が含まれていないスライド機構）の一例を示す図である。本発明に係るスライド機構用付勢部材は、図１〜図３に示すように、携帯機器１０を構成すると共に互いにスライド可能に連結された第１筐体１１及び第２筐体１２のいずれか一方の筐体に一端部が連結されると共に、他端部が第１筐体１１及び第２筐体１２のいずれか他方の筐体に連結されて第１筐体１１に対して第２筐体１２を所定の開閉位置から閉成方向又は開成方向にスライド付勢するものである。この本発明に係るスライド機構用付勢部材は、１本の線材４０を１巻又は渦巻き状にした巻付勢部４１と線材４０を同一平面上に不規則的に折り曲げたスネーク付勢部４２とを有し、第１筐体１１又は第２筐体１２の幅方向の付勢力を強くした扁平状スプリング４であることに特徴がある。
【００１４】
この本発明に係るスライド機構用付勢部材である扁平状スプリング４は、両端部が第１筐体１１と第２筐体１２とに直接連結されてなるものでもよいが、スライド機構１に設けて、この本発明に係るスライド機構１を介して第１筐体１１と第２筐体１２とをスライド可能に連結することが好ましい。すなわち、本発明に係る携帯機器のスライド機構１は、携帯機器１０を構成する第１筐体１１と第２筐体１２とを互いに重ね合わせた状態で相対的に直線方向へ開閉可能にスライドさせるものであって、第１筐体１１及び第２筐体１２のいずれか一方の筐体、例えば、第１筐体１１に取り付けられるベース部材２と、このベース部材２に対しスライド可能に係合され、第１筐体１１及び第２筐体１２のいずれか他方の筐体、例えば、第２筐体１２に取り付けられるスライダー３と、このスライダー３とベース部材２との間に設けられ、一端部がベース部材２に連結されると共に他端部がスライダー３に連結されてベース部材２に対してスライダー３を所定の開閉位置から閉成方向又は開成方向にスライド付勢する付勢部材とからなり、この付勢部材が、１本の線材４０を１巻又は渦巻き状にした巻付勢部４１と線材４０を同一平面上に不規則的に折り曲げたスネーク付勢部４２とを有し、第１筐体１１又は第２筐体１２の幅方向の付勢力を強くした扁平状スプリング４であることが好ましい。
【００１５】
携帯機器１０としては、特に限定されず、例えば、携帯電話機、ＰＤＡ、ノート型のパソコン、ザウルス（商標）等の携帯端末機、電卓、ポケットコンピュータ、携帯ゲーム機等が挙げられる。なお、本発明において携帯機器としては、その他、灰皿、ケース蓋等も含まれる。すなわち、２つの筐体を互いにスライドさせるものであれば特に限定されない。また、本実施の形態では、携帯機器としては、特に限定することなく説明する。
【００１６】
第１筐体１１は、例えば、キーボード（図示せず）等を上面に有している。第２筐体１２は、例えば、ＬＣＤなどのディスプレイ等を上面に有している。第１筐体１１及び第２筐体１２は、略同じ略矩形状にそれぞれ形成されている。なお、第１筐体１１及び第２筐体１２は、図１において想像線で記載してある。これらの第１筐体１１と第２筐体１２とが互いに重ね合わされた閉成状態でスライド機構１を介して連結されて携帯機器１０が構成されている。すなわち、この携帯機器１０は、第１筐体１１の上面に第２筐体１２の下面が互いに重ね合わされてキーボード等を閉塞すると共に、第１筐体１１の上面から第２筐体１２がスライド移動してキーボード等を露出させることができるようになっている。
【００１７】
ベース部材２は、第１筐体１１の上面の上方に例えばビス等により取り付けられる。ベース部材２は、例えば、第１筐体１１の幅方向に長い細長の略矩形状に形成されている基部２１と、基部２１の両側部に設けられたスライド凹部２２とから構成されている。スライド凹部２２は、別部材を取り付けて形成してもよいし、基部２１の両側部をコ字状に折り曲げて基部２１と一体的に形成してもよい。ベース部材２は、例えばステンレス製の金属プレートをプレス加工することにより形成される。
【００１８】
基部２１の幅は、第１筐体１１の幅より小さい、例えば、若干小さな寸法で形成されている。基部２１の中央部は、略矩形状の凹部２６が設けられている。基部２１の凹部２６の下側の２つの角部近傍には、扁平状スプリング４の一端部を取り付けるスイングピン１５を取り付けるための第１ピン取付孔２３がそれぞれ設けられている。スイングピン１５は、図８に示すように、第１ピン取付孔２３に挿入される挿入部１５ａと、挿入部１５ａより拡径されたスイング部１５ｂと、スイング部１５ｂより拡径された頭部１５ｃとからなる。また、基部２１の両側部近傍には、図２及び図３に示すように、ベース部材２を例えばビス等により第１筐体１１に取り付けるための固定部２４が例えば４つ設けられている。
【００１９】
また、スライド凹部２２には、スライダー３とのスライドが円滑に行われるようにスライド案内部材２５が設けられていることが好ましい。このスライド案内部材２５は、特に限定されないが、例えば、摩擦係数が小さい樹脂等で略凹状に形成されていることが好ましい。スライド案内部材２５の長さは、ベース部材２の上下方向（幅方向と直交する方向）の長さと略同じ寸法で形成されていることが好ましい。
【００２０】
スライダー３は、第２筐体１２の下面の上方近傍から下方近傍にかけて例えばビス等により取り付けられる。スライダー３は、例えば、図１〜図３に示すように、第２筐体１２の幅方向に長い略矩形状に形成されている基部３１と、基部３１の両側部に設けられ、ベース部材２のスライド凹部２２（実質的にはスライド案内部材２５）にスライド係合するスライド係合部３２とから構成されている。スライド係合部３２は、特にその形状は限定されないが、例えば、基部３１の両側部を略クランク状に折り曲げて形成してもよい。スライダー３は、例えばステンレス製の金属プレートをプレス加工することにより形成される。
【００２１】
スライダー３のスライド係合部３２の先端部間の長さは、ベース部材２に設けられているスライド案内部材２５の内面間の長さより若干小さな寸法で形成されていることが好ましい。スライダー３の基部３１の両側部には、スライダー３を第２筐体１２に取り付けるための固定孔３３が例えば４つ設けられている。これら固定孔３３に、例えばビス（図示せず）を用いて締めることによってスライダー３が第２筐体１２に取り付けられる。
【００２２】
スライダー３のスライド係合部３２がベース部材２のスライド凹部２２（スライド案内部材２５）とそれぞれスライド係合して、ベース部材２及びスライダー３（第１筐体１１及び第２筐体１２）が互いに直線上にスライドするようになっている。これらベース部材２とスライダー３とがスライド係合することにより、ベース部材２とスライダー３とが略細長の矩形筒状に形成される。
【００２３】
スライド係合部３２がスライド凹部２２（スライド案内部材２５）に係合されている状態、すなわち、ベース部材２及びスライダー３がスライド係合している状態で、ベース部材２に対するスライダー３の移動範囲が規制されるように、スライド係合部３２や第１筐体１１、第２筐体１２にストッパー（図示せず）等を設けるようにしてもよい。これにより、第１筐体１１及び第２筐体１２が閉成状態から開成状態までの間でスライド移動するようになっており、この閉成状態と開成状態との間の中間の状態が中立状態である（図１（ｂ）参照。）。なお、ベース部材２を第１筐体１１に取り付け、スライダー３を第２筐体１２に取り付けたが、ベース部材２を第２筐体１２に取り付け、スライダー３を第１筐体１１に取り付けるようにしてもよい。
【００２４】
また、基部３１の幅方向の中央部であって上下方向の略中央部と下部との間には、その幅方向に延びる細長の矩形状の貫通孔３５が設けられている。貫通孔３５は、ベース部材２の凹部２６に対向する幅で形成されている。この貫通孔３５に、例えば、ワイヤーハーネス等が貫通されて第１筐体１１と第２筐体１２とが電気的に接続されるようになっている。
【００２５】
また、基部３１の両側部付近であって、スライダー３とベース部材２が中立状態のときに第１筐体１１又は第２筐体１２の幅方向に延び、第１ピン取付孔２３を含む直線上に、扁平状スプリング４の他端部を取り付けるスイングピン１５を取り付けるための第２ピン取付孔３４がそれぞれ設けられている。なお、中立状態のときに第１筐体１１又は第２筐体１２の幅方向に延びる直線上に第１ピン取付孔２３と第２ピン取付孔３４とを配置したが、これに限定されるものではなく、中立状態のときに第１ピン取付孔２３と第２ピン取付孔３４とが第１筐体１１又は第２筐体１２の幅方向に延びる直線上に位置されていなくてもよい。
【００２６】
扁平状スプリング４は、ベース部材２（第１筐体１１）とスライダー３（第２筐体１２）とを互いに所定の開閉位置、例えば、中立状態から開成方向又は閉成方向にスライド付勢するものであり、ベース部材２とスライダー３との間に設けられている。この扁平状スプリング４は、図１、図２及び図４〜図７に示すように、１本の線材４０を１巻又は渦巻き状にした巻付勢部４１と線材４０を同一平面上に不規則的に折り曲げたスネーク付勢部４２とを有し、第１筐体１１又は第２筐体１２の幅方向の付勢力を強くしたものである。線材４０は、特に限定されず、例えば、断面円形、断面正方形、断面矩形、断面楕円形等のものが用いられる。
【００２７】
巻付勢部４１は、例えば、線材４０を１巻にしたコイル状の巻付勢部４１ａ（図２、図４及び図５参照。）、線材４０を渦巻状にした第１渦巻き状の巻付勢部４１ｂ（図６参照。）、線材４０を外側から内側に渦巻状にしてからこの内側の線材を外側に逆方向に渦巻状に折り返して同一平面上に渦巻きを形成した第２渦巻き状の巻付勢部４１ｃ（図７参照。）等であって第１筐体１１又は第２筐体１２の幅方向に付勢力を有する１つの付勢部である。渦巻状の巻付勢部４１ｂ、４１ｃの巻数は、特に限定されない。巻付勢部４１の個数は、特に限定されないが、１個、２個又は３個であることが好ましい。巻付勢部４１が２個以上設けられている場合には、すべてが同じ巻付勢部であってもよいし、異なる巻付勢部であってもよい。
【００２８】
スネーク付勢部４２は、線材４０を同一平面上に不規則的に重なり合うことなく折り曲げたものであって第１筐体１１又は第２筐体１２の幅方向に付勢力を有する１つの付勢部である。スネーク付勢部４２は、第１筐体１１又は第２筐体１２の幅方向に付勢力を有するものであれば特に限定されないが、線材４０が湾曲されている湾曲部４３を有することが好ましい。湾曲部４３は、例えば、円弧状に形成されていることが好ましい。湾曲部４３の個数は、特に限定されず、１個でも２個以上でもよく、例えば、図示例では、２個である。湾曲部４３が２個以上ある場合には、これら湾曲部４３の径は同じ径でも異なる径でもよく、例えば、湾曲部４３が２個の場合、図示例のように、２個の湾曲部４３の径は異なる径であってもよい。また、湾曲部４３の長さは、特に限定されず、円周の半分より短い寸法でも長い寸法でもよい。
【００２９】
扁平状スプリング４（巻付勢部４１及びスネーク付勢部４２）は、使用される携帯機器１０に応じて任意に巻付勢部４１の個数やスネーク付勢部４２の形状を選択することができる。扁平状スプリング４としては、例えば、巻付勢部４１が１個形成されている場合には、この巻付勢部４１の両端部のどちらか一方にスネーク付勢部４２が形成されているもの（図１、図２及び図５〜図７参照。）でも、巻付勢部４１の両端部の両方にスネーク付勢部４２が形成されているもの（図４参照。）でもよい。また、巻付勢部４１が２個形成されている場合には、２個の巻付勢部４１間にスネーク付勢部４２が形成されているものでも、２個の巻付勢部４１の両端部のどちらか一方や両方にスネーク付勢部４２が形成されているものでも、２個の巻付勢部４１間と両端部のどちらか一方や両方とにスネーク付勢部４２が形成されているものでもよい。また、巻付勢部４１が３個以上形成されている場合には、３個の巻付勢部４１間及び３個の巻付勢部４１の両端部の任意にスネーク付勢部４２が形成されているものでもよい。また、扁平状スプリング４は、略中央部を中心に対称に形成されているものでもよい（図４参照。）。
【００３０】
また、扁平状スプリング４の両端部には、スイングピン１５のスイング部１５ｂに回動可能に装着される装着部４４がそれぞれ設けられている。この装着部４４は、例えば、線材を略円形状に折り曲げて形成されている。
【００３１】
扁平状スプリング４の長さは、閉成状態又は開成状態にあるベース部材２に取り付けられたスイングピン１５とスライダー３に取り付けられたスイングピン１５との間の長さと略同じ寸法で形成されていてもよいが、その長さを超えた寸法、例えば、若干超えた寸法で形成されていることが好ましい。これにより、扁平状スプリング４は、閉成状態及び開成状態のときには付勢力に抗して略円弧状等にたわむ（図１（ａ）及び（ｃ）参照。）と共に、中立状態のときには略円形状、略楕円形状、略長円形状等のようにさらに付勢力に抗して曲る（図１（ｂ）参照。）ようになっている。
【００３２】
次に本発明に係るスライド機構用付勢部材、スライド機構１及び携帯機器１０の作用を説明する。
【００３３】
携帯機器１０が使用されていない状態では、図１（ａ）に示すように、第１筐体１１と第２筐体１２とが互いに重なり合った閉成状態である。このとき、扁平状スプリング４は、図１（ａ）及び図２に示すように、その付勢力に抗してたわんでいるために、その付勢力によってベース部材２とスライダー３とが閉成方向にスライド付勢されているので、第１筐体１１と第２筐体１２とが閉成状態に保持されている。なお、この閉成状態をより確実に維持するために、ロック機構を設けるようにしてもよい。
【００３４】
この携帯機器１０を使用する場合には、例えば、第１筐体１１を固定した状態で第２筐体１２を開成方向にスライドさせる。すると、扁平状スプリング４の両端部間の長さが短くなる、すなわち、スライドさせるときの力が扁平状スプリング４の両端部を介して扁平状スプリング４に作用して荷重を受けてその付勢力に抗して扁平状スプリング４がさらにたわんで曲がる。
【００３５】
そして、図１（ｂ）に示すように、扁平状スプリング４の両端部間の長さが最小になる、すなわち、扁平状スプリング４の両端部が第１筐体１１又は第２筐体１２の幅方向に延びる直線上に位置されると、扁平状スプリング４は最小に湾曲する。この状態が中立状態であり、この中立状態を過ぎると、扁平状スプリング４の両端部の位置が入れ替わると共に付勢力により扁平状スプリング４が元の形状に戻ろうとする。すなわち、扁平状スプリング４の両端部が互いに離間する方向に付勢されるので、第１筐体１１と第２筐体１２とが互いに開成方向に自動的にスライド移動して、図１（ｃ）に示すように、第１筐体１１と第２筐体１２とが開成状態になり、その状態に保持される。これにより、第１筐体１１の上面に設けたキーボードが露出するので、キーボード操作等が可能となり、携帯機器１０を使用し得る開成状態になる。なお、この開成状態をより確実に維持するために、ロック機構を設けるようにしてもよい。よって、閉成状態から開成状態にスライド移動させるときに半自動でスライド動作を行えることになる。
【００３６】
第２筐体１２を元の位置に戻すには、例えば、第１筐体１１を固定した状態で第２筐体１２を閉成方向にスライドさせる。すると、扁平状スプリング４の両端部間の長さが短くなり、中立状態を過ぎると、扁平状スプリング４の両端部が互いに離間する方向に付勢されるので、第１筐体１１と第２筐体１２とが互いに閉成方向に自動的にスライド移動して、図１（ａ）に示すように、第１筐体１１と第２筐体１２とが閉成状態に保持される。よって、開成状態から閉成状態にスライド移動させるときに半自動でスライド動作を行えることになる。
【００３７】
扁平状スプリング４は、１本の線材４０を１巻又は渦巻き状にした巻付勢部４１と線材４０を同一平面上に不規則的に折り曲げたスネーク付勢部４２とを有し、第１筐体１１又は第２筐体１２の幅方向の付勢力を強くしたものであるために、扁平状スプリング４の厚さは、巻付勢部４１の厚さに起因するために、この厚さは線材４０の線径の２倍程度の寸法となり、最低でも線材の線径の３倍の厚みのスプリングより薄くすることができる。
【００３８】
また、扁平状スプリング４は、スネーク付勢部４２だけではなく巻付勢部４１を有するために、扁平状スプリング４の付勢力が強くなると共に、扁平状スプリング４の耐久性が向上する。このため、第１筐体１１に対して第２筐体１２をスライドさせる際に作用する応力が巻付勢部４１及びスネーク付勢部４２の両付勢部で分散吸収するので、扁平状スプリング４が折れたりすることがない。
【００３９】
したがって、本発明に係るスライド機構用付勢部材、スライド機構１及び携帯機器１０は、携帯機器を構成する第１筐体１１と第２筐体１２との間隔を狭くすることができると共に第１筐体１１に対して第２筐体１２を耐久性よくスライドさせることができる。
【００４０】
また、扁平状スプリング４は、巻付勢部４１とスネーク付勢部４２とを有しているために、例えば、第１筐体１１に対して第２筐体１２をスライドさせる際に巻付勢部４１でたわむと共に、スネーク付勢部４２の特に湾曲部４３でもたわむので、全体的な付勢力が強くなる。その結果、同じ付勢力を有するトーションスプリングに比べて扁平状スプリング４の両端部の装着部４４間の長さを短くすることができる。このため、扁平状スプリング４をベース部材２とスライダー３との間であってワイヤーハーネスが貫通する貫通孔３５より両側に設けても第１筐体１１及び第２筐体１２を十分にセミオートでスライドさせることができる。すなわち、第１筐体１１と第２筐体１２とがスライドする際に、第１筐体１１と第２筐体１２とを電気的に接続するワイヤーハーネスに干渉しない位置に扁平状スプリング４を設けても、十分に耐久性よく例えば第１筐体１１に対して第２筐体１２をセミオートでスライドさせることができる。従って、携帯機器１０の全体的な厚さを薄くすることができ、より一層薄型化を図れる。
【産業上の利用可能性】
【００４１】
以上説明したように本発明に係るスライド機構用付勢部材は、付勢部材が、１本の線材を１巻又は渦巻き状にした巻付勢部と前記線材を同一平面上に不規則的に折り曲げたスネーク付勢部とを有し、前記第１筐体又は前記第２筐体の幅方向の付勢力を強くした扁平状スプリングであるので、携帯機器を構成する第１筐体と第２筐体との間隔を狭くすることができると共に第１筐体に対して第２筐体を耐久性よくスライドさせることができることから、携帯機器のスライド機構、携帯端末の中でもとくに携帯電話機等として好適に用いられるものである。
【図面の簡単な説明】
【００４２】
【図１】本発明に係る携帯機器の一例を示す平面図で、（ａ）は閉成状態を示す図、（ｂ）は中立状態を示す図、（ｃ）は開成状態を示す図である。
【図２】本発明に係る携帯機器のスライド機構の一例を示す裏面図である。
【図３】本発明に係る携帯機器のスライド機構の一例を示す図で、（ａ）は正面図、（ｂ）は平面図、（ｃ）は側面図、（ｄ）は裏面図である。
【図４】本発明に係る扁平状スプリングの他の一例を示す平面図である。
【図５】本発明に係る扁平状スプリングの他の一例を示す平面図である。
【図６】本発明に係る扁平状スプリングの他の一例を示す平面図である。
【図７】本発明に係る扁平状スプリングの他の一例を示す平面図である。
【図８】本発明に係るスイングピンの一例を示す正面図である。
【符号の説明】
【００４３】
１  スライド機構
２  ベース部材
３  スライダー
４  扁平状スプリング（付勢部材）
１０  携帯機器
１１  第１筐体
１２  第２筐体
４０  線材
４１  巻付勢部
４２  スネーク付勢部
４３  湾曲部
【図１】
2008275136.tif 000003
【図２】
2008275136.tif 000004
【図３】
2008275136.tif 000005
【図４】
2008275136.tif 000006
【図５】
2008275136.tif 000007
【図６】
2008275136.tif 000008
【図７】
2008275136.tif 000009
【図８】
2008275136.tif 000010